(57)【要約】【課題】信頼性が高く、かつ万一の異常が発生した場合であっても安全に動作を停止させることができるプラズマディスプレイ装置を提供する。【解決手段】走査電極と維持電極とを有する放電セルを複数設けたプラズマディスプレイパネルと、走査電極および維持電極を駆動するための駆動電圧波形を生成する駆動回路とを備え、駆動回路は、スイッチング素子と、スイッチング素子を制御するための制御回路と、制御回路に電源を供給するブートストラップ部とを備え、ブートストラップ部はコンデンサと、ダイオードと、ダイオードに直列に接続された抵抗を備えた。【選択図】図４
2007233223.tif 000002
【特許請求の範囲】
【請求項１】
走査電極と維持電極とを有する放電セルを複数設けたプラズマディスプレイパネルと、前記走査電極および前記維持電極を駆動するための駆動電圧波形を生成する駆動回路とを備え、
前記駆動回路は、スイッチング素子と、前記スイッチング素子を制御するための制御回路と、前記制御回路に電源を供給するブートストラップ部とを備え、
前記ブートストラップ部は、コンデンサと、ダイオードと、前記ダイオードに直列に接続された抵抗とを備えたことを特徴とするプラズマディスプレイ装置。
【請求項２】
前記抵抗は耐サージ抵抗であることを特徴とする請求項１に記載のプラズマディスプレイ装置。
【請求項３】
前記抵抗は表面実装型チップ抵抗であることを特徴とする請求項１に記載のプラズマディスプレイ装置。
【請求項４】
前記抵抗の抵抗値は、前記ブートストラップ部が供給する電圧を前記ダイオードの許容電流値で割った値以上であり、１０（Ω）以下であることを特徴とする請求項１に記載のプラズマディスプレイ装置。
【発明の詳細な説明】
【技術分野】
【０００１】
本発明は、テレビジョン受像機やコンピュータ端末等の画像表示に用いられるプラズマディスプレイ装置に関するものである。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
そして、このようにパネルを駆動するために、プラズマディスプレイ装置の駆動回路から各電極のそれぞれに駆動電圧波形が印加される。駆動回路の中でも走査電極駆動回路および維持電極駆動回路は、パネルを放電発光させるために通常百ボルトを超えるパルス電圧波形を発生している。さらに、大画面のパネルを駆動するためには数十アンペアを超える放電電流を流す能力を持つ必要がある。そのためこのようなプラズマディスプレイ装置の駆動回路には、耐圧が高く大電流を流せるＦＥＴやＩＧＢＴ等のスイッチング素子が用いられることが多い。
【０００５】
そしてこれらのスイッチング素子を制御するためには、制御回路とそれを動作させるためのフローティング電源が必要となる。フローティング電源を作る代表的な方法として、ダイオードとコンデンサを用いて簡単で安価に構成できる、いわゆるブートストラップ電源が用いられることが多い。このようなプラズマディスプレイ装置の一例が特許文献１に記載されている。
【特許文献１】特開２００５−３３８１１９号公報
【発明の開示】
【発明が解決しようとする課題】
【０００６】
しかしながら、上述したようにプラズマディスプレイ装置の駆動回路は比較的高い電圧、かつ大きなピーク電流を扱うため、信頼性の高い回路構成が要求される。そのため各部品のショート試験等の安全性を確認するだけでなく、万一の異常が発生した場合であってもプラズマディスプレイ装置を安全に停止させなければならない。本発明はこのような課題に鑑みなされたもので、信頼性が高く、かつ万一の異常が発生した場合であっても安全に動作を停止させることができるプラズマディスプレイ装置を提供することを目的とするものである。
【課題を解決するための手段】
【０００７】
本発明のプラズマディスプレイ装置は、走査電極と維持電極とを有する放電セルを複数設けたプラズマディスプレイパネルと、走査電極および維持電極を駆動するための駆動電圧波形を生成する駆動回路とを備え、駆動回路は、スイッチング素子と、スイッチング素子を制御するための制御回路と、制御回路に電源を供給するブートストラップ部とを備え、ブートストラップ部は、コンデンサと、ダイオードと、ダイオードに直列に接続された抵抗とを備えたことを特徴とする。この構成により、信頼性が高く、かつ万一の異常が発生した場合であっても安全に動作を停止させることができるプラズマディスプレイ装置を提供することができる。
【０００８】
また本発明のプラズマディスプレイ装置の抵抗は、耐サージ抵抗であることが望ましい。この構成により、高いサージ電圧に耐えることができ信頼性が向上する。
【０００９】
また本発明のプラズマディスプレイ装置の抵抗は表面実装型チップ抵抗であることが望ましい。
【００１０】
また本発明のプラズマディスプレイ装置の抵抗の抵抗値は、ブートストラップ部が供給する電圧をダイオードの許容電流値で割った値以上であり、１０（Ω）以下であることが望ましい。
【発明の効果】
【００１１】
本発明によれば、信頼性が高く、かつ万一の異常が発生した場合であっても安全に動作を停止させることができるプラズマディスプレイ装置を提供することができる。
【発明を実施するための最良の形態】
【００１２】
以下、本発明の実施の形態におけるプラズマディスプレイ装置について、図面を用いて説明する。
【００１３】
（実施の形態）
図１は、本発明の実施の形態におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１４】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１５】
なお、パネル１０の構造は上述したものに限られるわけではなく、例えばストライプ状の隔壁を備えたものであってもよい。
【００１６】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１７】
図３は、本発明の実施の形態におけるプラズマディスプレイ装置１の回路ブロック図である。プラズマディスプレイ装置１は、パネル１０、画像信号処理回路５１、データ電極駆動回路５２、走査電極駆動回路５３、維持電極駆動回路５４、タイミング発生回路５５および各回路ブロックに必要な電源を供給する電源回路（図示せず）を備えている。
【００１８】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。タイミング発生回路５５は水平同期信号Ｈ、垂直同期信号Ｖをもとにして各回路ブロックの動作を制御する各種のタイミング信号を発生し、それぞれの回路ブロックへ供給する。走査電極駆動回路５３は、維持パルスを発生するための維持パルス発生回路１００、初期化期間において傾斜波形電圧を発生させるための初期化波形発生回路３００、書込み期間において走査パルスを発生させる走査パルス発生回路４００を有し、タイミング信号にもとづいて各走査電極ＳＣ１〜ＳＣｎをそれぞれ駆動する。維持電極駆動回路５４は、維持期間において維持電極ＳＵ１〜ＳＵｎに印加する維持パルスを発生するための維持パルス発生回路２００を有し、タイミング信号にもとづいて維持電極ＳＵ１〜ＳＵｎを駆動する。
【００１９】
図４は、本発明の実施の形態における走査電極駆動回路５３の詳細を示す回路図である。維持パルス発生回路１００は、クランプ部と電力回収部とを備えている。クランプ部は、スイッチング素子Ｑ１１１、Ｑ１１２を有している。そしてスイッチング素子Ｑ１１１のゲート端子にはスイッチング素子Ｑ１１１を制御するための制御回路ＩＣ１１１が設けられ、さらに制御回路ＩＣ１１１に電源を供給するために、コンデンサとダイオードと抵抗とを有するブートストラップ部（図７にて詳述する）を備えている。スイッチング素子Ｑ１１２に対しても同様に制御回路ＩＣ１１２とブートストラップ部とを備えている。また、電力回収部は、電力回収用のコンデンサＣ１００、スイッチング素子Ｑ１２１、Ｑ１２２、逆流防止用のダイオードＤ１０１、Ｄ１０２、共振用のインダクタＬ１００を有している。そしてスイッチング素子Ｑ１２１、Ｑ１２２のそれぞれに対しても同様に制御回路ＩＣ１２１、ＩＣ１２２とブートストラップ部とを備えている。
【００２０】
初期化波形発生回路３００は、スイッチング素子Ｑ３１１とコンデンサＣ３１０と抵抗Ｒ３１０とを有するミラー積分回路、スイッチング素子Ｑ３２２とコンデンサＣ３２０と抵抗Ｒ３２０とを有するミラー積分回路、スイッチング素子Ｑ３１２を用いた分離回路およびスイッチング素子Ｑ３２１を用いた分離回路を備えている。そして初期化波形発生回路３００においても、スイッチング素子Ｑ３１１、Ｑ３１２、Ｑ３２１、Ｑ３２２のそれぞれに対して制御回路ＩＣ３１１、ＩＣ３１２、ＩＣ３２１、ＩＣ３２２とブートストラップ部とを備えている。
【００２１】
走査パルス発生回路４００は、走査電極ＳＣ１〜ＳＣｎのそれぞれに走査パルス電圧を出力するスイッチ部ＯＵＴ１〜ＯＵＴｎと、スイッチ部ＯＵＴ１〜ＯＵＴｎの低電圧側を電圧Ｖａにクランプするためのスイッチング素子Ｑ４０１および制御回路ＩＣ４０１とを備えている。そしてスイッチ部ＯＵＴ１〜ＯＵＴｎのそれぞれは、電圧Ｖｃを出力するためのスイッチング素子ＱＨ１〜ＱＨｎと電圧Ｖａを出力するためのスイッチング素子ＱＬ１〜ＱＬｎとを有している。
【００２２】
図５は、本発明の実施の形態における維持電極駆動回路５４の詳細を示す回路図である。維持パルス発生回路２００は維持パルス発生回路１００と同様の構成である。すなわち、スイッチング素子Ｑ２１１、Ｑ２１２を有するクランプ部と、電力回収用のコンデンサＣ２００、スイッチング素子Ｑ２２１、Ｑ２２２、逆流防止用のダイオードＤ２０１、Ｄ２０２、共振用のインダクタＬ２００を有する電力回収部とを備え、パネル１０の維持電極ＳＵ１〜ＳＵｎに接続されている。また各スイッチング素子を制御する制御回路も同様に備えている。
【００２３】
また、図５には、電圧Ｖｅ１を維持電極ＳＵ１〜ＳＵｎに印加するためのスイッチング素子Ｑ２３１と逆流防止用のダイオードＤ２３１もあわせて示している。
【００２４】
つぎに、パネル１０を駆動するための駆動電圧波形とその動作について説明する。図６は、本発明の実施の形態におけるパネル１０の各電極に印加する駆動電圧波形図である。図６には、１フィールド期間を構成する複数のサブフィールドのうちの２つのサブフィールドの駆動電圧波形について示している。まず、サブフィールドの初期化期間について説明する。
【００２５】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧は、図４においてスイッチング素子Ｑ３１１とコンデンサＣ３１０と抵抗Ｒ３１０で構成されるミラー積分回路をオンすることで発生させる。そしてスイッチング素子Ｑ３２１、ＱＬ１を介して走査電極ＳＣ１に印加され、スイッチング素子Ｑ３２１、ＱＬ２を介して走査電極ＳＣ２に印加され、以下同様に、スイッチング素子Ｑ３２１、ＱＬｎを介して走査電極ＳＣｎに印加される。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００２６】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この傾斜波形電圧は、図４においてスイッチング素子Ｑ３２２とコンデンサＣ３２０と抵抗Ｒ３２０で構成されるミラー積分回路をオンすることで発生させる。そしてスイッチング素子Ｑ３２１およびスイッチング素子ＱＬ１〜ＱＬｎを介して走査電極ＳＣ１〜ＳＣｎに印加される。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。
【００２７】
以上により、全ての放電セルに対して初期化放電を行う全セル初期化動作が終了する。なお、直前のサブフィールドで維持放電を発生させた放電セルを選択的に初期化させる場合には、初期化期間前半部を省略すればよい。
【００２８】
続く書込み期間では、スイッチング素子Ｑ４０１をオンにし、スイッチング素子ＱＨ１〜ＱＨｎをオンにすることにより、走査電極ＳＣ１〜ＳＣｎに電圧Ｖｃを印加する。そして維持電極ＳＵ１〜ＳＵｎに電圧Ｖｅ２を印加する。つぎに、スイッチング素子ＱＨ１をオフにしスイッチング素子ＱＬ１をオンにすることにより、１行目の走査電極ＳＣ１に負の走査パルス電圧Ｖａを印加する。そして、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００２９】
続く維持期間では、まず維持電極ＳＵ１〜ＳＵｎに０（Ｖ）を印加するとともに走査電極ＳＵ１〜ＳＵｎに正の維持パルス電圧Ｖｓを印加する。
【００３０】
維持電極ＳＣ１〜ＳＣｎに０（Ｖ）を印加するには、まず、スイッチング素子Ｑ２２２をオンにする。すると、維持電極ＳＵ１〜ＳＵｎからインダクタＬ２００、ダイオードＤ２０２、スイッチング素子Ｑ２２２を通してコンデンサＣ２００に電流が流れ始め、維持電極ＳＵ１〜ＳＵｎの電圧が下がり始める。そしてスイッチング素子Ｑ２１２をオンにする。すると、維持電極ＳＵ１〜ＳＵｎはスイッチング素子Ｑ２１２を介して接地されるため０（Ｖ）にクランプされる。
【００３１】
また、走査電極ＳＣ１〜ＳＣｎに正の維持パルス電圧Ｖｓを印加するには、まず、スイッチング素子Ｑ１２１をオンにする。すると、電力回収用のコンデンサＣ１００からスイッチング素子Ｑ１２１、ダイオードＤ１０１、インダクタＬ１００、スイッチング素子Ｑ３１２、Ｑ３２１、ＱＬ１〜ＱＬｎを通して走査電極ＳＣ１〜ＳＣｎへ電流が流れ始め、走査電極ＳＣ１〜ＳＣｎの電圧が上がり始める。そしてスイッチング素子Ｑ１１１をオンにする。すると、走査電極ＳＣ１〜ＳＣｎはスイッチング素子Ｑ１１１、Ｑ３１２、Ｑ３２１、ＱＬ１〜ＱＬｎを介して電源ＶＳへ接続されるため、走査電極ＳＣ１〜ＳＣｎは電圧Ｖｓにクランプされる。
【００３２】
すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３３】
続いて、走査電極ＳＣ１〜ＳＣｎには０（Ｖ）を、維持電極ＳＵ１〜ＳＵｎには維持パルス電圧Ｖｓをそれぞれ印加する。
【００３４】
走査電極ＳＣ１〜ＳＣｎに０（Ｖ）を印加するには、まず、スイッチング素子Ｑ１２２をオンにする。すると、走査電極ＳＣ１〜ＳＣｎからスイッチング素子ＱＬ１〜ＱＬｎ、Ｑ３２１、Ｑ３１２、インダクタＬ１００、ダイオードＤ１０２、スイッチング素子Ｑ１２２を通してコンデンサＣ１００に電流が流れ始め、走査電極ＳＣ１〜ＳＣｎの電圧が下がり始める。そしてスイッチング素子Ｑ１１２をオンにする。すると、走査電極ＳＣ１〜ＳＣｎはスイッチング素子Ｑ１１２、Ｑ３１２、Ｑ３２１、ＱＬ１〜ＱＬｎを介して接地されるため、走査電極ＳＣ１〜ＳＣｎの電圧は０（Ｖ）にクランプされる。
【００３５】
また、維持電極ＳＵ１〜ＳＵｎに正の維持パルス電圧Ｖｓを印加するには、まず、スイッチング素子Ｑ２２１をオンにする。すると、電力回収用のコンデンサＣ２００からスイッチング素子Ｑ２２１、ダイオードＤ２０１、インダクタＬ２００を通して維持電極ＳＵ１〜ＳＵｎへ電流が流れ始め、維持電極ＳＵ１〜ＳＵｎの電圧が上がり始める。そしてスイッチング素子Ｑ２１１をオンにする。すると、維持電極ＳＵ１〜ＳＵｎはスイッチング素子Ｑ２１１を介して電源ＶＳへ接続されるため、維持電極ＳＵ１〜ＳＵｎは電圧Ｖｓにクランプされる。
【００３６】
すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００３７】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。こうして維持期間における維持動作が終了する。
【００３８】
続くサブフィールドの動作も上述したサブフィールドの動作とほぼ同様であるため説明を省略する。
【００３９】
本実施の形態においては、図４および図５に示したようにＮチャンネルＦＥＴを用いてこれらの駆動電圧波形を発生させている。そして各ＦＥＴを制御するために、各ＦＥＴのそれぞれに対して制御回路を設け、制御回路の基準電位をＦＥＴのソース端子に、制御回路の出力をゲート端子にそれぞれ接続している。そして制御回路のそれぞれに電源を供給するために、本実施の形態においては抵抗とダイオードとコンデンサとを用いて構成されたブートストラップ部を用いている。
【００４０】
図７は、本発明の実施の形態における維持期間において維持パルスを発生させるためのスイッチング素子Ｑ１１１、スイッチング素子Ｑ１１２と、それらを制御するための制御回路ＩＣ１１１、制御回路ＩＣ１１２との詳細を示す図である。スイッチング素子Ｑ１１２のソース端子は接地されているため、スイッチング素子Ｑ１１２を制御する制御回路ＩＣ１１２の基準電位も接地電位とすることができる。したがって制御回路ＩＣ１１２を駆動する電源も接地電位に対して一定の電圧、例えば１５（Ｖ）とすればよい。しかしながら、スイッチング素子Ｑ１１１のソース端子は維持パルス電圧であるため、スイッチング素子Ｑ１１１を制御する制御回路ＩＣ１１１の基準電位も維持パルス電圧となる。そのため制御回路ＩＣ１１１を駆動する電源はフローティング電源でなければならない。
【００４１】
本実施の形態においては、フローティング電源として働くコンデンサＣ１１１と、コンデンサＣ１１１に電荷を供給するダイオードＤ１１１と、ダイオードＤ１１１に流れる電流を制限するための抵抗Ｒ１１１を用いてブートストラップ部を構成している。すなわち、スイッチング素子Ｑ１１２がオンしてスイッチング素子Ｑ１１１のソース端子が接地電位となったときに、電源Ｖｃｃから抵抗Ｒ１１１およびダイオードＤ１１１を介してコンデンサＣ１１１を充電する。そしてコンデンサＣ１１１が制御回路ＩＣ１１１に対するフローティング電源として働くことにより、スイッチング素子Ｑ１１１をオンしてスイッチング素子Ｑ１１１のソース端子を電圧Ｖｓまで上昇させることができる。そしてこのときダイオードＤ１１１が電流の逆流を防止するので、コンデンサＣ１１１は制御回路ＩＣ１１１に対するフローティング電源として働き続ける。
【００４２】
本実施の形態においては、耐サージ抵抗であり小型、高電力のチップ抵抗を、ブートストラップ部を構成するダイオードに直列に接続している。この理由をスイッチング素子Ｑ１１１とその制御回路ＩＣ１１１およびブートストラップ部を構成する抵抗Ｒ１１１、ダイオードＤ１１１、コンデンサＣ１１１を例に説明する。仮に抵抗Ｒ１１１を備えていない場合には、フローティング電源として働くコンデンサＣ１１１のショート試験を行ったとき、ダイオードＤ１１１に最大規格を超える過大な電流が流れダイオードＤ１１１が破壊される可能性がある。しかし本実施の形態においては、コンデンサＣ１１１のショート試験を行ったときダイオードＤ１１１に流れる最大の電流がダイオードＤ１１１の最大規格を超えないように設定された耐サージ抵抗Ｒ１１１を備えているために、ダイオードＤ１１１が破壊されることがない。また、万一、何らかの理由によりコンデンサＣ１１１のショート試験を行ったときよりも大きい電流が流れることがあったとしても、ダイオードＤ１１１が破壊される前に抵抗Ｒ１１１が開放モードで破壊され、制御回路ＩＣ１１１の電源供給をストップさせる。そして、スイッチング素子Ｑ１１１をオフにするのでプラズマディスプレイ装置を安全に停止させることができる。
【００４３】
つぎに、ダイオードに直列に接続する抵抗の選定方法について説明する。まずコンデンサＣ１１１のショート試験においてダイオードＤ１１１に流れる最大の電流がダイオードＤ１１１の最大規格を超えないように抵抗Ｒ１１１の抵抗値を設定ためには、
（ダイオードの最大規格）＜（電圧）／（抵抗値）
でなければならない。したがって、例えば電源Ｖｃｃの電圧を１５（Ｖ）、ダイオードの許容される電流値の最大値を３０（Ａ）とすると、抵抗値は０．５（Ω）以上でなければならない。また、コンデンサＣ１１１がフローティング電源として働くように十分な電荷を供給するためには、抵抗Ｒ１１１の抵抗値は所定の上限値以下でなければならない。この上限値は、電源Ｖｃｃから抵抗Ｒ１１１を介してコンデンサＣ１１１に充電することができる時間と、制御回路ＩＣ１１１が消費する電力とにより決まり、本実施の形態においてはこの上限値は１０（Ω）である。
【００４４】
加えて、上述したように抵抗Ｒ１１１はパルス状に駆動され、高いサージ電圧にさらされる可能性があり、加えて万一の異常発生時には速やかに開放モードで破壊して、制御回路ＩＣ１１１の電源供給をストップさせなければならない。
【００４５】
以上の条件を満足する抵抗として、本実施の形態においては、制御回路１１１のブートストラップ部に用いる抵抗Ｒ１１１として、１（Ω）、０．３３（Ｗ）、耐サージ表面実装型チップ抵抗を選定した。また制御回路１２１、１２２のブートストラップ部にも同様の抵抗を用いた。
【００４６】
このように本実施の形態においては、ブートストラップ部を構成するダイオードに直列に抵抗を接続することにより、ショート試験を行ったときダイオードが破壊されることがない。また、万一の異常が発生した場合であってもプラズマディスプレイ装置を安全に停止させることができる。
【００４７】
なお、上記では維持パルス発生回路１００を例に抵抗の選定方法を説明したが、維持パルス発生回路２００についても同様にして抵抗を選定できる。さらに本発明は、初期化波形発生回路３００、走査パルス発生回路４００等に用いられているスイッチング素子の制御回路の電源についても同様に適用することができる。
【００４８】
また、本実施の形態においては、スイッチング素子としてＦＥＴを用いた回路について説明したが、本発明はこれに限定されるものではなく、ＦＥＴ以外のスイッチング素子、例えばトランジスタやＩＧＢＴ等を用いてもよい。
【００４９】
また、走査電極駆動回路を例に説明したが、維持電極駆動回路についても同様に本発明を適用することができる。
【００５０】
さらに、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５１】
本発明のプラズマディスプレイ装置は、信頼性が高く、かつ万一の異常が発生した場合であっても安全に動作を停止させることができるので、テレビジョン受像機やコンピュータ端末等の画像表示に用いられるプラズマディスプレイ装置等として有用である。
【図面の簡単な説明】
【００５２】
【図１】本発明の実施の形態におけるパネルの構造を示す分解斜視図
【図２】同パネルの電極配列図
【図３】本発明の実施の形態におけるプラズマディスプレイ装置の回路ブロック図
【図４】同プラズマディスプレイ装置の走査電極駆動回路の回路図
【図５】同プラズマディスプレイ装置の維持電極駆動回路の回路図
【図６】同プラズマディスプレイ装置のパネルの各電極に印加する駆動電圧波形図
【図７】同プラズマディスプレイ装置のクランプ部の詳細を示す回路図
【符号の説明】
【００５３】
１    プラズマディスプレイ装置
１０    パネル
２１    前面板
２２    走査電極
２３    維持電極
２４，３３    誘電体層
２５    保護層
２８    表示電極対
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
１００，２００    維持パルス発生回路
３００    初期化波形発生回路
４００    走査パルス発生回路
【図１】
2007233223.tif 000003
【図２】
2007233223.tif 000004
【図３】
2007233223.tif 000005
【図４】
2007233223.tif 000006
【図５】
2007233223.tif 000007
【図６】
2007233223.tif 000008
【図７】
2007233223.tif 000009